(57)【要約】【目的】回転される記録媒体に対して電力及び信号の少なくとも一方を効率的に供給するための方法を得る。【構成】記録媒体にコイルを設け、回転するこのコイルに外部磁界の作用により起電力を発生させ、この起電力から電力及び信号の少なくとも一方を記録媒体に得させる。また、記録媒体とともにコイルを回転させ、回転するこのコイルに外部磁界の作用により起電力を発生させ、この起電力から電力及び信号の少なくとも一方を記録媒体に得させる。【選択図】        図１
2005025918.tif 000002
【特許請求の範囲】
【請求項１】
使用時に回転軸回りに回転駆動される回転型の記録媒体であって、
情報の書き込み及び読み出しの少なくとも一方が可能な情報記録部と、
電気的に駆動される電気駆動部と、
前記電気駆動部に接続され、外部磁界の作用により起電力を発生するコイル部と、
を有し、前記電気駆動部及び前記コイル部の少なくとも一部が前記情報記録部を含む記録媒体本体に対して着脱自在に構成されている、記録媒体。
【請求項２】
請求項１に記載の記録媒体において、前記電気駆動部は、前記コイル部が発生した前記起電力を利用して前記情報記録部に電流及び電圧の少なくとも一方を与える、記録媒体。
【請求項３】
請求項２に記載の記録媒体において、前記情報記録部は複数の記録部位に分かれており、前記電気駆動部は、前記電流及び電圧の少なくとも一方を該複数の記録部位に選択的に与えるための制御手段を有する、記録媒体。
【請求項４】
請求項３に記載の記録媒体において、前記制御手段は、前記電流及び電圧の少なくとも一方を与えるべき前記記録部位を切り換えるための切換手段と、前記外部磁界によって供給されてきた制御信号に基づいて前記切換手段における前記切り換えを制御する切換制御手段と、を有する、記録媒体。
【請求項５】
使用時に回転軸回りに回転駆動される回転型の記録媒体であって、
情報の書き込み及び読み出しの少なくとも一方が可能な情報記録部と、
電気的に駆動される電気駆動部と、
前記電気駆動部に接続されるとともに、磁界を通じて外部と接続されるコイル部と、
を有し、前記情報記録部は記録媒体本体に含まれ、前記電気駆動部及び前記コイル部の少なくとも一部は前記記録媒体本体に装着される装着体に含まれる、記録媒体。
【請求項６】
請求項５に記載の記録媒体において、少なくとも前記コイル部が前記装着体に含まれる、記録媒体。
【請求項７】
請求項５又は６に記載の記録媒体において、前記電気駆動部がメモリ素子を含み、少なくとも該メモリ素子が前記装着体に含まれる、記録媒体。
【請求項８】
請求項７に記載の記録媒体において、前記電気駆動部が、前記コイル部が発生した起電力によって前記メモリ素子を駆動するとともに、前記起電力の変化を通じて受信された信号及び送信された信号の少なくとも一方を用いて、前記メモリ素子に対するデータの書き込み及び読み出しの少なくとも一方を行う、記録媒体。
【請求項９】
使用時に回転軸回りに回転駆動される回転型の記録媒体であって、
情報の書き込み及び読み出しの少なくとも一方が可能な情報記録部と、
電気的に駆動される電気駆動部と、
前記電気駆動部を外部の回路と電気的に接続するための媒体側端子部と、
を有し、前記情報記録部は記録媒体本体に含まれ、前記電気駆動部及び前記媒体側端子部の少なくとも一部は前記記録媒体本体に装着される装着体に含まれる、記録媒体。
【請求項１０】
請求項９に記載の記録媒体において、少なくとも前記媒体側端子部が前記装着体に含まれる、記録媒体。
【請求項１１】
請求項９又は１０に記載の記録媒体において、前記電気駆動部がメモリ素子を含み、少なくとも該メモリ素子が前記装着体に含まれる、記録媒体。
【請求項１２】
請求項５〜１１のいずれかに記載の記録媒体において、前記装着体が前記記録媒体本体に貼り付けられる、記録媒体。
【請求項１３】
請求項１〜１２のいずれかに記載の記録媒体と、
前記記録媒体を回転駆動しながら該記録媒体に対して情報の書き込み及び読み出しの少なくとも一方を行うためのドライブ装置と、
を備える、ドライブシステム。
【請求項１４】
使用時に回転軸回りに回転駆動される回転型の記録媒体における、情報の書き込み及び読み出しの少なくとも一方が可能な情報記録部を含む記録媒体本体に装着するための装着体であって、電気的に駆動される電気駆動部と、前記電気駆動部に接続されるとともに磁界を通じて外部と接続されるコイル部と、の少なくとも一部を含む、装着体。
【請求項１５】
使用時に回転軸回りに回転駆動される回転型の記録媒体における、情報の書き込み及び読み出しの少なくとも一方が可能な情報記録部を含む記録媒体本体に装着するための装着体であって、電気的に駆動される電気駆動部と、前記電気駆動部を外部の回路と電気的に接続するための媒体側端子部と、の少なくとも一部を含む、装着体。
【請求項１６】
使用時に回転軸回りに回転駆動される回転型の記録媒体であって、
情報の書き込み及び読み出しの少なくとも一方が可能な情報記録部と、
電気的に駆動される電気駆動部と、
前記電気駆動部を外部の回路と電気的に接続するための媒体側端子部と、
を備え、前記媒体側端子部が非摺動接続タイプの端子を有する、記録媒体。
【請求項１７】
請求項１６に記載の記録媒体において、前記電気駆動部が、前記媒体側端子部を通じてデータの書き込み及び読み出しの少なくとも一方が可能なメモリ素子を有する、記録媒体。
【請求項１８】
請求項１６に記載の記録媒体において、前記電気駆動部が、前記媒体側端子部を通じて前記情報記録部を電流及び電圧の少なくとも一方によって駆動するための回路を有する、記録媒体。
【請求項１９】
情報を記録するための情報記録部と、電気的に駆動される電気駆動部と、前記電気駆動部を外部の回路と電気的に接続するための媒体側端子部と、を有する記録媒体を回転駆動しながら該記録媒体に対して情報の書き込み及び読み出しの少なくとも一方を行うためのドライブ装置であって、
前記記録媒体を回転軸回りに回転駆動するための回転駆動部と、
前記記録媒体とともに回転され、前記媒体側端子部と接続可能なドライブ側端子部と、
を備える、ドライブ装置。
【請求項２０】
請求項１９に記載のドライブ装置において、更に、回転する前記ドライブ側端子部を静止した回路と接続するためのブラシを備える、ドライブ装置。
【請求項２１】
請求項１９に記載のドライブ装置において、更に、前記ドライブ側端子部及び前記媒体側端子部を通じて前記記録媒体の前記電気駆動部に対する電力の供給、信号の送信、及び信号の受信の少なくともいずれかを行う回路を備える、ドライブ装置。
【請求項２２】
情報を記録するための情報記録部と、電気的に駆動される電気駆動部と、前記電気駆動部を外部の回路と電気的に接続するための媒体側端子部と、を有する記録媒体を回転駆動しながら該記録媒体に対して情報の書き込み及び読み出しの少なくとも一方を行うためのドライブ装置であって、
前記記録媒体を回転軸回りに回転駆動するための回転駆動部と、
前記記録媒体とともに回転駆動される回転体であって、電気的に駆動される電気回路部と、前記電気回路部に接続されたコイル部と、前記電気回路部に接続され且つ前記記録媒体の前記媒体側端子部と接続可能なドライブ側端子部と、を有するものと、
前記コイル部に向けて磁界を発生することによって前記コイル部に起電力を発生させるための磁界発生部と、
を備える、ドライブ装置。
【請求項２３】
請求項２２に記載の装置において、前記電気回路部は、前記コイル部が発生した起電力を利用して、前記ドライブ側端子部及び前記媒体側端子部を通じて前記記録媒体の前記電気駆動部に対する電力の供給、信号の送信、及び信号の受信の少なくともいずれかを行う回路を有する、ドライブ装置。
【請求項２４】
請求項２２に記載の装置において、前記電気回路部は、前記コイル部が発生した起電力を利用して、前記ドライブ側端子部を通じて前記媒体側端子部が有する複数の端子の少なくとも一部に対して選択的に、電力の供給、信号の送信、及び信号の受信の少なくともいずれかを行う回路を有する、ドライブ装置。
【請求項２５】
情報を記録するための情報記録部と、電気的に駆動される電気駆動部と、前記電気駆動部を外部の回路と電気的に接続するための媒体側端子部と、を有する記録媒体を回転駆動しながら該記録媒体に対して情報の書き込み及び読み出しの少なくとも一方を行うためのドライブ装置であって、
前記記録媒体を回転軸回りに回転駆動するための回転駆動部と、
前記記録媒体とともに回転駆動される回転体であって、電気的に駆動される電気回路部と、前記電気回路部に接続されたコイル部と、前記電気回路部に接続され且つ前記記録媒体の前記媒体側端子部と接続可能なドライブ側端子部と、を有するものと、
磁界を通じて前記コイル部と接続される磁界発生部と、
を備える、ドライブ装置。
【請求項２６】
請求項２２〜２５のいずれかに記載の装置において、前記回転駆動部は、前記記録媒体を回転させるための駆動軸を有し、前記回転体が該駆動軸に取り付けられる、ドライブ装置。
【請求項２７】
請求項２６に記載の装置において、前記駆動軸がコア部を含み、該コア部が前記回転体の前記コイル部を貫通する、ドライブ装置。
【請求項２８】
請求項２２〜２５のいずれかに記載の装置において、更に、前記コイル部と前記磁界発生部とに共通のコア部を備える、ドライブ装置。
【請求項２９】
請求項２８に記載の装置において、前記磁界発生部が前記コア部を介して前記コイル部と接続されるコイルを有する、ドライブ装置。
【請求項３０】
請求項２８に記載の装置において、前記コア部が前記記録媒体を回転させるための駆動軸に含まれる、ドライブ装置。
【請求項３１】
回転型の記録媒体であって、情報を記録するための情報記録部と、電気的に駆動される電気駆動部と、前記電気駆動部を外部の回路と電気的に接続するための媒体側端子部と、を有するものと、
請求項１９〜３０のいずれかに記載のドライブ装置と、
を備える、ドライブシステム。
【請求項３２】
回転型の記録媒体が有する第１端子部と、前記記録媒体とは別体の第２端子部とを同期的に回転させつつ、これら第１端子部と第２端子部とを接続させ、これら第１端子部及び第２端子部を通じて前記記録媒体に対する電力の供給、信号の送信、及び信号の受信の少なくともいずれかを行う、方法。
【請求項３３】
回転型の記録媒体とともにコイルを回転させ、回転するこのコイルに磁界を通じて接続して、前記記録媒体に対する電力の供給、信号の送信、及び信号の受信の少なくともいずれかを行う、方法。
【請求項３４】
回転型の記録媒体に対して電力及び信号の少なくとも一方を供給するための方法であって、前記記録媒体とともにコイルを回転させ、回転するこのコイルに外部磁界の作用により起電力を発生させ、この起電力から電力及び信号の少なくとも一方を前記記録媒体に得させる、方法。
【請求項３５】
情報を記録するための情報記録部と、電気的に駆動される電気駆動部と、前記電気駆動部に接続され外部磁界の作用により起電力を発生するコイル部と、を有する記録媒体を回転駆動しながら該記録媒体に対して情報の書き込み及び読み出しの少なくとも一方を行うためのドライブ装置であって、
前記記録媒体を回転軸回りに回転駆動するための回転駆動部と、
前記コイル部に向けて磁界を発生することによって前記コイル部に起電力を発生させるための磁界発生部と、
を備える、ドライブ装置。
【請求項３６】
請求項３５に記載の装置において、前記磁界発生部が前記回転駆動部の駆動軸と同軸状に前記磁界を発生する、ドライブ装置。
【請求項３７】
請求項３５に記載の装置において、前記コイル部が前記回転軸に対して略同心状に配置されている場合に、前記磁界発生部が前記コイル部と略同心状に配置される、ドライブ装置。
【請求項３８】
請求項３５に記載の装置において、前記回転駆動部は、前記記録媒体を回転させるための駆動軸を有し、該駆動軸がコア部を含み、該コア部が前記記録媒体の回転駆動時に前記コイル部を貫通する、ドライブ装置。
【請求項３９】
請求項３８に記載の装置において、前記磁界発生部が少なくとも１つの駆動側コイルを有し、前記コア部が前記記録媒体の回転駆動時に前記駆動側コイルを貫通する、ドライブ装置。
【請求項４０】
請求項３５に記載の装置において、更に、前記記録媒体の回転駆動時に前記コイル部と前記磁界発生部とを磁気的に接続するコア部を備える、ドライブ装置。
【請求項４１】
請求項４０に記載の装置において、前記コア部が前記回転駆動部の駆動軸に含まれる、ドライブ装置。
【請求項４２】
請求項４０に記載の装置において、前記コア部が前記回転駆動部の駆動軸と一体的に回転する、ドライブ装置。
【請求項４３】
請求項３５に記載の装置において、前記コイル部が前記回転軸に対して偏心状に配置されている場合に、前記磁界発生部が前記コイル部の回転軌道に向けて前記磁界を発生する、ドライブ装置。
【請求項４４】
請求項４３に記載の装置において、前記磁界発生部が非交流磁界を発生する、ドライブ装置。
【請求項４５】
請求項３６〜４２のいずれかに記載の装置において、更に、前記回転軸に対して偏心状に配置された他のコイル部の回転軌道に向けて磁界を発生する他の磁界発生部を備える、ドライブ装置。
【請求項４６】
請求項４５に記載の装置において、前記磁界発生部を信号伝送用に使用し、前記他の磁界発生部を電力伝送用に使用する、ドライブ装置。
【請求項４７】
請求項４５又は４６に記載の装置において、前記他の磁界発生部が非交流磁界を発生する、ドライブ装置。
【請求項４８】
情報を記録するための情報記録部と、電気的に駆動される電気駆動部と、前記電気駆動部に接続され外部磁界の作用により起電力を発生するコイル部と、を有する記録媒体と、
請求項３５〜４７のいずれかに記載のドライブ装置と、
を備える、ドライブシステム。
【請求項４９】
情報を記録するための情報記録部と、
電気的に駆動される電気駆動部と、
金属製の反射層と、
を備え、前記反射層の少なくとも一部が前記電気駆動部に含まれる、記録媒体。
【請求項５０】
メモリ素子を備えた回転型の記録媒体の使用方法であって、前記記録媒体におけるデータの格納位置に関する情報を前記メモリ素子に記録する、方法。
【請求項５１】
請求項５０に記載の方法において、前記記録媒体に対してデータの書き込み及び読み出しの少なくとも一方を行う際に、前記メモリ素子中の前記データの格納位置に関する情報を参照する、方法。
【請求項５２】
請求項５０又は５１に記載の方法において、前記記録媒体に対してデータの書き込みを行う際に、前記メモリ素子中の前記データの格納位置に関する情報を更新する、方法。
【請求項５３】
光学的記録部位と、非光学的記録部位と、を備えた回転型の記録媒体の使用方法であって、前記光学的記録部位におけるデータの格納位置に関する情報を前記非光学的記録部位に記録する、方法。
【請求項５４】
論理回路を備えた回転型の記録媒体の使用方法であって、前記論理回路で前記記録媒体の使用環境及び使用形態の少なくとも一方を管理する、方法。
【請求項５５】
請求項５４に記載の方法において、前記管理が、履歴管理を含む、方法。
【請求項５６】
請求項５４に記載の方法において、前記管理が、前記記録媒体の使用を許可するかどうかの管理を含む、方法。
【発明の詳細な説明】
【技術分野】
【０００１】  本発明は、回転型の記録媒体、これを駆動するためのドライブ装置、及びこれらを含むドライブシステムに関する。
【背景技術】
【０００２】  コンピュータで情報の読み取り及び／又は書き込みが可能な記録媒体として、ディスク状記録媒体が広く普及している。このディスク状記録媒体には、レーザ光を利用してデータの読み出しや書き込みが可能な光ディスクが含まれる。
【発明の開示】
【発明が解決しようとする課題】
【０００３】  近年、ディスク状記録媒体の大容量化やセキュリティの強化のために、ディスク状記録媒体に電気（電子）回路を組み込むことが要望されている。しかしながら、通常回転した状態で使用されるディスク状記録媒体に対して、外部から効率的に電力を供給する方法は今まで無かった。
【課題を解決するための手段】
【０００４】  本発明は、回転される記録媒体に対して電力及び信号の少なくとも一方を効率的に供給するための方法を提供することをその１つの目的とする。また、本発明は、電気（電子）回路を含む回転型の記録媒体の新規な構造を提供することを他の１つの目的とする。【０００５】  本発明では、回転型の記録媒体に対して電力及び信号の少なくとも一方を供給するために、前記記録媒体とともにコイルを回転させ、回転するこのコイルに外部磁界（又は電磁波）の作用により起電力を発生させ、この起電力から電力及び信号の少なくとも一方を前記記録媒体に得させるようにしている。【０００６】  また、本発明では、回転型の記録媒体が有する第１端子部と、前記記録媒体とは別体の第２端子部とを同期的に回転させつつ、前記第１端子部と前記第２端子部とを接続させ、これら第１端子部及び第２端子部を通じて前記記録媒体に対する電力の供給、信号の送信、及び信号の受信の少なくともいずれかを行うようにしている。【０００７】  また、本発明では、回転型の記録媒体とともにコイルを回転させ、回転するこのコイルに磁界を通じて接続して、前記記録媒体に対する電力の供給、信号の送信、及び信号の受信の少なくともいずれかを行うようにしている。
【発明の効果】
【０００８】  本発明によれば、回転される記録媒体に対して電力及び信号の少なくとも一方を効率的に供給するための方法が得られる。
【発明を実施するための最良の形態】
【０００９】  ［第１の実施の形態］  まず、本発明の第１の実施の形態に係るドライブシステムについて説明する。このドライブシステムは、回転するディスク状の記録媒体のコイルに外部磁界（磁束）の作用によって誘導起電力を発生させることによって、該記録媒体に電力（電圧、電流）及び／又は信号を供給するようにしたものである。すなわち、コイルは、磁界を通じて外部と接続される。なお、記録媒体は、光学的に記録／再生可能なものであっても、磁気的にこれらが可能なもの等であってもよい。【００１０】  図１は、第１の実施の形態に係るドライブシステム１０を概略的に示す斜視説明図である。ドライブシステム１０は、ディスク状記録媒体１２と、このディスク状記録媒体１２を回転駆動するためのドライブ装置（ディスクドライブ）１４とを備えている。【００１１】  本実施の形態では、ディスク状記録媒体１２は、ポリカーボネート等の材料を用いてディスク状に形成されており、このディスク状記録媒体１２に対しては、例えばレーザ光を用いて非電気的に情報の書き込み及び／又は読み出しができる。なお、ディスク状でなくとも、軸回りに回転駆動される他の形状の記録媒体を採用することもできる。また、ディスク状記録媒体１２は、ドライブ装置１４に対して着脱自在なものであっても、ドライブ装置１４に固定されたものであってもよい。ディスク状記録媒体１２には、情報記録部２０と、電気的に駆動される電気回路部２２と、この電気回路部２２に接続されたコイル部２４とが設けられている。なお、以下、電気回路部を電気駆動部とも記す。また、ディスク状記録媒体１２には、ドライブ装置１４に対する位置決め及び／又は装着のための孔部２８が形成されている。なお、この孔部２８に代えて、突起部等の他の手段を形成するようにしてもよい。【００１２】  コイル部２４は、例えば、情報記録部２０の内側に設けられた第１コイル２４ａと、情報記録部２０の外側に設けられた第２コイル２４ｂとを備えている。これら第１コイル２４ａ及び第２コイル２４ｂは、それぞれ、円形状、楕円形状、角形状、渦巻状、ソレノイド状等の形状に形成されている。この場合、第１コイル２４ａ及び第２コイル２４ｂは、ディスク状記録媒体１２の回転軸Ａと同心状（同軸状）に形成されていることが好ましい。また、第１コイル２４ａはディスク状記録媒体１２の内周部近傍部分（例えば、リードインエリアの内側や、クランピングエリア）に設けられ、第２コイル２４ｂはディスク状記録媒体１２の外周部近傍部分（例えば、リードアウトエリアの外側）に設けられることが好ましい。そして、これら第１コイル２４ａ及び第２コイル２４ｂは、外部磁界（又は電磁波）の作用によって起電力を発生し、この起電力を電気回路部２２に供給する。【００１３】  電気回路部２２は、コイル部２４からの起電力を電源電力として駆動されるとともに、外部磁界に含まれる信号成分を起電力から抽出することによって自らを制御する。即ち、電気回路部２２には、制御回路が含まれているが、この場合、電気回路部２２が、制御回路によって制御されるＲＯＭ（ｒｅａｄ−ｏｎｌｙ  ｍｅｍｏｒｙ）やＲＡＭ（ｒａｎｄｏｍ−ａｃｃｅｓｓ  ｍｅｍｏｒｙ）等のメモリを備えていてもよ��。すなわち、電気回路部２２をメモリ回路として構成してもよい。また、電気回路部２２が、制御回路の制御下に情報記録部２０に電流及び／又は電圧を与えるように構成してもよい。【００１４】  図２は、ディスク状記録媒体１２の断面図である。この図２には、電気回路部２２が情報記録部２０を電気的に駆動する（すなわち、情報記録部２０が電気駆動部として機能する）ように構成された例が示されている。情報記録部２０は、厚さ方向に複数の記録層に分割されており、各記録層には電極（図示は省略する）が設けられている。この電極は、例えば各記録層を挟むように配置された透明電極であり、この電極から各記録層に選択的に、電圧の印加や電流の供給を行えるようになっている。この場合、情報記録部２０は、例えば電圧が印加された記録層に対してのみ、情報の記録や読み出しができるように構成されている。ディスク状記録媒体１２には、例えば情報の読み出し時にレーザ光Ｌを反射するための反射層２６が設けられている。この反射層２６は、例えば金属製の材料（アルミニウム等）で形成されており、この場合、反射層２６を、電気回路部２２の一部として利用することができる。例えば、情報記録部２０の各記録層に設けられた一組の電極の一方を反射層２６に接続することによって、電気回路部２２の回路形状を簡素化することができる。また、コイル部２４や電気回路部２２の少なくとも一部を、反射層２６と同じ金属製材料で形成したり、反射層２６と同じ工程（例えば、蒸着工程）で形成したりすることも可能である。なお、電線部材をディスク状記録媒体１２に組み込むことによって電気回路部２２やコイル部２４を形成することももちろん可能である。情報記録部２０が、両面から読み出し及び／又は書き込みが可能なタイプのものである場合は、電気回路部２２と情報記録部２０とが重ならないように配置することが好ましい。【００１５】  図１に示すように、ドライブ装置１４は、ディスク状記録媒体１２をその回転軸Ａ回りに回転駆動するための回転駆動部３０と、コイル部２４に向けて磁界を発生するための磁界発生部３２と、これら回転駆動部３０及び磁界発生部３２を制御するためのコントローラ３４と、光ピックアップ（図示せず）等を備えている。回転駆動部３０については後で詳しく述べる。【００１６】  磁界発生部３２は、例えば、それぞれコイル（ソレノイド）で形成された電力用発生部３２ａと信号用発生部３２ｂとを備えている。電力用発生部３２ａは、例えばコイル部２４の一方のコイル（本実施の形態では第１コイル２４ａ）に向けて交流（交番）磁界Ｂ１を形成することによって、この第１コイル２４ａに交流状の起電力を発生させる。この場合、第１コイル２４ａは、ディスク状記録媒体１２とともに回転軸Ａ回りに回転するため、電力用発生部３２ａを、この回転軸Ａと同軸状に（又は回転軸Ａの近傍位置に）配置することが好ましい。一方、信号用発生部３２ｂは、コントローラ３４からの指示に従って、コイル部２４の他方のコイル（本実施の形態では第２コイル２４ｂ）に向けて信号伝送用の交流（交番）磁界Ｂ２を形成する。また、磁界の変化（変調）を通じてディスク状記録媒体１２からの信号を受信し、これをコントローラ３４に��る。なお、信号用発生部３２ｂが、電力用発生部３２ａよりも弱い磁界を発生するようにしてもよい。この場合、磁界がディスク状記録媒体１２の反射層２６に与える影響を少なくすることができる。また、第２コイル２４ｂが第１コイル２４ａよりも大きいことを考慮して、信号用発生部３２ｂが広い範囲に向けて磁界を発生するようにしてもよい。また、電力用発生部３２ａ及び信号用発生部３２ｂを１つのコイルで構成するようにしてもよい。この場合、電力供給用の交流磁界に変調を加え又は交流磁界の変調を検出することによって、ディスク状記録媒体１２への電源電力の供給及び信号の送受信を同時に行うことができる。このとき使用するコイルは、電力用発生部３２ａのものであってもよい。また、信号用発生部３２ｂ及び電力用発生部３２ａが、それぞれディスク状記録媒体１２を挟むように配置された１組のパーツを備えていてもよい。【００１７】  図３は、電気回路部２２を示すブロック図である。電気回路部２２は、電力用発生部３２ａからの磁界の作用によって第１コイル２４ａが発生した交流起電力（交流電流）を整流するための整流回路４０と、整流回路４０から供給された電力によって駆動され且つ第２コイル２４ｂから供給された信号によって制御される制御回路４２とを備えている。制御回路４２は、信号用発生部３２ｂからの磁界の作用によって第２コイル２４ｂに生じる変調された交流起電力に対して復調処理等を施して信号を抽出（受信）するとともに、第２コイル２４ｂを流れる交流起電力を変化（変調）させることによって信号を磁界を通じて送信する送受信手段４４と、電流及び／又は電圧を与えるべき情報記録部２０中の記録層２０ａ，２０ｂ…を切り換える（選択する）ための切換手段（セレクタ）４６と、送受信手段４４が受信した信号に基づいて切換手段４６における切り換えを制御する切換制御手段４８とを備える。即ち、電気回路部２２は、ドライブ装置側から供給された制御信号に基づいて、情報記録部２０中の所望の部分に選択的に電流及び／又は電圧を与えるように構成されている。なお、第２コイル２４ｂを流れる交流起電力に、ディスク状記録媒体１２の回転に伴う誤差が含まれる場合には、これを除去するための手段（フィルタ等）を制御回路４２に設けるようにしてもよい。また、コイル部２４が１つのコイル（例えば、第１コイル２４ａ）で構成されている場合には、送受信手段４４は、このコイルで発生する電力用の起電力を信号の伝送用にも使用する。この場合、送信信号及び受信信号で異なる帯域を使用することによって、これら送信信号及び受信信号を同時に交流磁界に重畳することができる。なお、電気回路部２２がメモリ素子を含んでいる場合は、ドライブ装置側から供給された電力及び制御信号に基づいて、メモリ素子に対する情報の書き込み及び／又は読み出しが行われる。また、読み出された情報は、ドライブ装置側に伝送される。【００１８】  図４は、ドライブ装置１４の回転駆動部３０及び磁界発生部３２を示す説明図である。回転駆動部３０は、モータ５０が発生する回転力によって、ディスク状記録媒体１２を回転駆動するように構成されている。具体的には、回転駆動部３０は、モータ５０の回転軸に連結された能動���動軸５２と、この能動駆動軸５２に対して受動的に回転する受動駆動軸５６とを備えている。能動駆動軸５２には、能動側チャック部材５４ａが取り付けられており、一方、受動駆動軸５６には、能動側チャック部材５４ａとの間にディスク状記録媒体１２を挟み込んで保持するための受動側チャック部材５４ｂが取り付けられている。なお、これらチャック部材５４ａ、５４ｂのことを、それぞれクランプ部材とも言う。能動駆動軸５２及び受動駆動軸５６（単に駆動軸とも記す）は、それぞれ軸受け部材（図示せず）に回転自在に支持されている。能動側チャック部材５４ａには、ディスク状記録媒体１２の孔部２８に対する位置決め用の凸部が形成されており、これに対応して受動側チャック部材５４ｂには、この凸部を受け入れるための凹部が形成されている。そして、能動側チャック部材５４ａ及び受動側チャック部材５４ｂは、ディスク状記録媒体１２を保持しながら一体的に回転する。なお、これらチャック部材５４ａ、５４ｂの構造は、一例として示したものであり、ディスク状記録媒体１２のホールに対して位置決め及び保持が可能な種々の構造を採用可能である。例えば、チャック部材５４ａ、５４ｂに形成すべき凹凸を図４の例とは逆にしたり、ディスク状記録媒体１２のホールを一方のチャック部材に対して固定する（はめ込む）構造を採用したりすることができる。【００１９】  磁界発生部３２の電力用発生部３２ａは、能動駆動軸５２回りに設けられた能動側コイル６０ａと、受動駆動軸５６回りに設けられた受動側コイル６０ｂとを備えている。これら能動側コイル６０ａ及び受動側コイル６０ｂは、例えば各駆動軸に対して同軸状且つ摺動接触状（又は非接触状）に配置されている。そして、これら能動側コイル６０ａ及び受動側コイル６０ｂは、コイル駆動回路６２から供給される交流電流によって、軸線方向に沿って同じ向きの磁界を同期的に発生する。このように、駆動軸の軸線に沿って磁界を形成するようにした場合、ディスク状記録媒体１２側のコイルを小径に形成することが可能となり、その設計の自由度が増すこととなる。また、ドライブ装置１４に対しては、図４中の受動駆動軸５６側にモータ５０を連結させたり、能動側コイル６０ａ及び受動側コイル６０ｂの一方のみを設けたりする等の、様々な変形を施すことができる。【００２０】  能動駆動軸５２及び受動駆動軸５６（これらとともに回転する部材を含んでいてもよい）は、これらの少なくとも一部を鉄心等の金属製材料で形成することにより、コアとして使用することができる。能動駆動軸５２の先端部は、能動側チャック部材５４ａから突き出た状態となっており、ディスク状記録媒体１２のチャック時には、受動側チャック部材５４ｂ側に移動してディスク状記録媒体１２の第１コイル２４ａ内を貫通するようになる。更に能動駆動軸５２の先端部は、受動側チャック部材５４ｂ及び受動駆動軸５６に形成された内孔部６４に入り込んで、受動側コイル６０ｂの位置まで到達するようになる。即ち、この状態で、能動側コイル６０ａ、受動側コイル６０ｂ、及び第１コイル２４ａは、能動駆動軸５２を共通のコアとして利用する（すなわち、コアを介して磁気的に連結される）ことができるようになる。この場合、コア、能動側コイル６０ａ、受動側コイル６０ｂ、及び第１コイル２４ａを、シールド部材６６ａ、６６ｂで覆うようにしてもよい。また、能動駆動軸５２の後端側（モータ側）は、コア部として機能しない樹脂製材料等で形成してもよい。なお、能動駆動軸５２及び受動駆動軸５６にそれぞれコア部を設け、これらコア部をチャック時に連結させてコアを形成するようにしてもよい。これは、例えばチャック部材５４ａ、５４ｂの一部をコア部と一体的に又は同じ部材で形成することによって実現可能である。また、能動駆動軸５２のコアが、受動駆動軸５６側に突出しない構成としたり、ディスク状記録媒体１２の孔部２８を貫通可能な程度に突出させてもよい。いずれの場合も、駆動軸にコアを設けることによって、チャック部材に邪魔されることなく、ディスク状記録媒体１２側のコイルに対して磁界を通じてアクセスすることができるようになる。【００２１】  ［第２の実施の形態］  次に、本発明の第２の実施の形態に係るドライブシステムについて説明する。なお、以下の説明では、上記第１の実施の形態と同じ構成要素には同じ符号を付してその詳細な説明を省略する。【００２２】  図５は、第２の実施の形態に係るドライブシステム１００を概略的に示す斜視説明図である。本実施の形態では、ディスク状記録媒体１０２のコイル部１０４は、図１に示した第２コイル２４ｂに代えて（又はこれに加えて）、第３コイル１０６を備えている。この第３コイル１０６は、第１コイル２４ａの外側に且つ回転軸Ａに対して偏心状に複数（又は１つ）配置されている。この場合、各第３コイル１０６は、情報記録部２０の内側に同一円周上に配置（配列）されていることが好ましい。また、第１コイル２４ａと第３コイル１０６とが、平面的に重ならないように配置されることが好ましい（なお、第１コイル２４ａと第３コイル１０６が重なる構成も採用可能である）。そして、第３コイル１０６は、ディスク状記録媒体１０２の回転に伴って外部磁界Ｂ３を横切ったときに、起電力を発生するように構成されている。【００２３】  ドライブ装置１１０側の磁界発生部１１２は、電力用発生部１１２ａ及び信号用発生部１１２ｂを備えているが、ここでは、電力用発生部１１２ａを第３コイル１０６用とし、信号用発生部１１２ｂを第１コイル２４ａ用とすることが好ましい。この場合、信号用発生部１１２ｂは、図４に示した電力用発生部３２ａと同様に形成することができる。一方、電力用発生部１１２ａは、第３コイル１０６の回転軌道に向けて例えば定常（非交流）磁界を発生するように構成される。即ち、電力用発生部１１２ａは、コイル若しくは磁石又はこれらの組み合わせで形成することができる。これらコイル及び／又は磁石は、例えばディスク状記録媒体１０２を挟むように配置された組毎に、同一円周上に複数設けられていることが好ましい。なお、電力用発生部１１２ａが発生する磁界に変化を加え、この磁界の変化によってディスク状記録媒体１０２側に信号を送るようにした場合、第１コイル２４ａや信号用発生部１１２ｂを設けないようにすることもできる。また、第１コイル２４ａに代えて、第２コイル２４ｂ（図１参照）を設けるようにしてもよい。【００２４】  図６は、デ��スク状記録媒体１０２の電気回路部１２０を示すブロック図である。電気回路部１２０は、複数の第３コイル１０６からの交流起電力（交流電流）を整流し且つ合成して制御回路４２に送るための整流・合成回路１２２を備えている。制御回路４２は、この整流・合成回路１２２からの電力によって駆動される。また、制御回路４２と第１コイル２４ａとの間では、信号伝達用の交流電流が入出力される。【００２５】  ［第３の実施の形態］  次に、本発明の第３の実施の形態に係るドライブシステムについて説明する。なお、以下の説明では、上記第１又は第２の実施の形態と同じ構成要素には同じ符号を付してその詳細な説明を省略する。【００２６】  図７は、第３の実施の形態に係るドライブシステム２００を示す説明図である。本実施の形態では、起電力を発生させるためのコイルや制御回路をドライブ装置側に設け、ドライブ装置からディスク状記録媒体へは、端子接続によって電力や信号を供給するようにしている。そして、ドライブ装置側のコイルや制御回路等が含まれた部分をディスク状記録媒体と同期的又は一体的に回転させるようにしている。すなわち、ドライブシステム２００は、ディスク状記録媒体２０２と、回転駆動部２０６及び磁界発生部２０８を有するドライブ装置２０４とを備えている。そして、ドライブ装置２０４は更に、ディスク状記録媒体２０２の回転駆動時にディスク状記録媒体２０２とともに回転する回転体２１０を備えている。【００２７】  回転体２１０には、上記第１の形態のディスク状記録媒体１２が有する電気回路部２２及びコイル部２４や、上記第２の形態のディスク状記録媒体１０２が有する電気回路部１２０及びコイル部１０４の少なくとも一部と同様の又は類似の機能が組み込まれている。本実施の形態では、回転体２１０は、電気回路部２１２及びコイル部２１４を備えており、磁界発生部２０８から磁界を通じて電力や信号の供給を受けることができるようになっている。このように、ディスク状記録媒体１２の機能の一部を回転体２１０に移すことによって、ディスク状記録媒体１２の構造を簡素化することができる。回転体２１０は、電気回路部２１２と接続されたドライブ側端子部２１６を備えており、このドライブ側端子部２１６は、ディスク状記録媒体２０２の回転駆動時に、このディスク状記録媒体２０２に設けられた媒体側端子部２１８と接続されるようになっている。すなわち、ドライブ側端子部２１６及び媒体側端子部２１８は、非摺動接続タイプの端子である。媒体側端子部２１８は、ディスク状記録媒体２０２における電気的に駆動される部分（電気駆動部）と接続されている。回転体２１０は、回転駆動部２０６の能動駆動軸２２０又は受動駆動軸２２２（本実施形態では受動駆動軸２２２）に取り付けられている。回転体２１０内のコイル部２１４は、受動駆動軸２２２回りに設けられたコイル２１４ａを備えており、このコイル２１４ａは、同じく受動駆動軸２２２回りに（又はその近傍位置に）設けられた磁界発生部２０８のコイル２０８ａが発生する交流磁界を通じて、この磁界発生部２０８から電力を得たり、この磁界発生部２０８と信号を相互に転送したりする。この場合、受動駆動軸２２２におけるコイル２１４ａ及びコイル２０８ａが設けられる部分は、コアとして形成されていることが好ましい。また、これらコア部及びコイルを覆うように、シールド部材２２８を設けるようにしてもよい。【００２８】  ドライブ側端子部２１６は、例えば受動側チャック部材２２４ｂの下面部（ディスク状記録媒体２０２側の面）に設けられており、これに対応して媒体側端子部２１８は、例えばディスク状記録媒体２０２のクランプ部の上面部に設けられている。この場合、媒体側端子部２１８は、ディスク状記録媒体２０２と面一状に（すなわち、パッド状に）形成され、ドライブ側端子部２１６は、ディスク状記録媒体２０２側に突出し且つ弾性的に付勢されていてもよい。そして、これらドライブ側端子部２１６及び媒体側端子部２１８は、それぞれ同一円周上又は同心状等に複数配置されており、チャック時に互いに押し当てられて電気的に接続される。この場合、ディスク状記録媒体２０２並びに能動側チャック部材２２４ａ及び受動側チャック部材２２４ｂが、これらに形成された位置決め部２２６ａ〜ｃによって、互いに円周方向に位置決めされるようにしてもよい。なお、同心状（円環状）の媒体側端子部２１８を採用した場合は、位置決め部２２６ａ〜ｃを設けないようにすることもできる。また、ドライブ側端子部２１６及び媒体側端子部２１８が、コネクタ接続タイプのものであってもよい。例えば、媒体側端子部２１８を凹状又は孔状に形成し、これに挿入・装着可能なように、ドライブ側端子部２１６を凸状に形成するようにしてもよい。この場合、これら端子部によってディスク状記録媒体２０２の位置決め手段を構成することもできる。また、ディスク状記録媒体２０２のホールの内周面に媒体側端子部を形成するとともに、クランプ部におけるディスク状記録媒体２０２のホールに挿入される部分の外周面にドライブ側端子部を形成するようにしてもよい。また、媒体側端子部とドライブ側端子部とが容量的に結合される（すなわち、それぞれに設けられた電極板によって結合コンデンサを形成する）構成を採用することもできる。なお、回転体２１０の機能を能動駆動軸２２０上及び受動駆動軸２２２上に分散させるようにしてもよいが、この場合、能動駆動軸２２０上の回転体とディスク状記録媒体２０２とが端子接続されるようにしてもよいし、能動駆動軸２２０上の回転体と受動駆動軸２２２上の回転体とが端子接続されるようにしてもよい。また、回転体が駆動軸の途中に連結される（すなわち、クランプ部材から離れた位置に配置される）ようにしてもよい。【００２９】  図８は、ディスク状記録媒体２０２の要部を示す断面図である。ディスク状記録媒体２０２に設けられた各媒体側端子部２１８は、情報記録部２０を構成する複数の記録層を例えば厚さ方向に（図中の上下から）挟むように設けられた電極（図示せず）にそれぞれ接続され、これら各記録層に外部から選択的に電流及び／又は電圧の少なくとも一方を与えることができるようになっている。この場合、反射層２６を各記録層に共通の電極として又は配線の一部として利用するようにしてもよい。なお、媒体側端子部２１８と情報記録部２０との間に、デマルチプレクサのような切換器（セレクタ）を設けるようにしてもよい。また、電��回路部２１２の機能の一部をディスク状記録媒体２０２に設けるようにしてもよい。また、ディスク状記録媒体２０２にメモリ素子を設け、媒体側端子部２１８をこのメモリ素子用の端子として使用するようにしてもよい。この場合、ディスク状記録媒体２０２側にはメモリ素子を制御するための回路を設けずに、ドライブ装置側から直接メモリ素子にアクセスするような構成も採用可能であるし、メモリ素子を制御するための機能の一部をドライブ装置側に移した構成も採用可能である。また、情報記録部２０を電気的に駆動しない構成の場合は、媒体側端子部２１８及びこれと接続される電気回路（メモリ回路等）をディスク状記録媒体２０２の基材に対して装着又は添付することも可能である。例えば、媒体側端子部２１８及び電気回路をシール状に形成することもできる。【００３０】  ［第４の実施の形態］  ここでは、上記第１又は第２の実施の形態のディスク状記録媒体が、ディスク状の本体と、この本体に取り付けられる他の部材（装着体）とから構成されている場合について説明する。この実施の形態では、例えば、複数のディスク状記録媒体で共通化できる機能を装着体に設けるようにする。【００３１】  図９は、本実施の形態に係るディスク状記録媒体３００を示す説明図である。ディスク状記録媒体３００は、情報記録部２０を含む本体３０２と、この本体３０２に着脱自在な装着体３０４とを備えている。装着体３０４には、上記第１の形態のディスク状記録媒体１２が有する電気回路部２２及びコイル部２４、又は上記第２の形態のディスク状記録媒体１０２が有する電気回路部１２０及びコイル部１０４の少なくとも一部と同様の又は類似の機能が組み込まれている。そして、本体３０２と装着体３０４は、コネクタ３０６（又はパッド）によって接続され、上記第１又は第２の実施の形態のディスク状記録媒体と同様にドライブ装置で駆動される。なお、電気回路部２２，１２０（又は、電気回路部２２，１２０及びコイル部２４，１０４の一部）を本体３０２側に設けるようにしてもよい。なお、装着体３０４と情報記録部２０とを電気的に接続する必要のない場合（例えば、装着体３０４にメモリ素子を設け、且つ情報記録部２０を電気的に駆動しない場合）は、装着体３０４をシール状に形成し、これをディスク状記録媒体本体３０２に添着する構成を採用することも可能である。【００３２】  ［第５の実施の形態］  上記各実施の形態には、様々な変形を施すことができる。例えば、ディスク状記録媒体にメモリを設けるようにした場合、情報記録部との組み合わせによって、様々な情報の記録方法が実現できる。例えば、ＲＯＭタイプのディスク状記録媒体にＲＡＭ的な機能を組み込む（すなわち、ＲＡＭ的にも使用する）ことが可能となる。また、情報記録部におけるデータの格納位置（アドレス又はセクタ等）に関する情報をメモリ素子に記録することによって、データの書き込みや読み出し処理の高速化を図ることもできる。この場合、ディスク状記録媒体を、光学的記録部位と非光学的記録部位とを備えた記録媒体としてとらえることもできる。【００３３】  また、ディスク状記録媒体にマイクロコンピュータ（論理回路）を設けるようにした場合、ディスク状記録媒体側か��ドライブ装置を選別するような使用形態が可能となる。例えば、マイクロコンピュータにドライブ装置のハードウェアやＯＳ等のＩＤや種類等を取得させ、これに基づいて、ディスク状記録媒体自体がこのドライブ装置で使用されることを許可するかどうかを判断させる。すなわち、ディスク状記録媒体側でその使用環境や使用形態の管理（履歴管理を含んでいてもよい）を行うことが可能である。【００３４】  また、上記第３の実施の形態において、回転体２１０への電力／信号の供給手段を、ブラシによって構成することもできる。すなわち、回転体２１０へは、ドライブ装置に固定された（非回転の又は静止した）回路からブラシを介して電力等が供給され、回転体２１０からディスク状記録媒体へは、端子接続により電力等を供給するようにする。この場合も、ディスク状記録媒体に対して直接ブラシ接続することなく、外部からアクセスすることが可能となるため、ディスク状記録媒体に要求される耐久性等の条件を緩和することができる。【００３５】  また、電気回路や端子をディスク状記録媒体の表面に貼り付ける構成を採用することもできる。特に、ディスク状記録媒体にメモリ素子を組み込む場合には、メモリ素子及び端子を添着体として一体的に形成して、これをディスク状記録媒体に貼り付けるようにすることができる。【００３６】  また、ディスク状記録媒体の記録層や電気回路等を交流駆動することができる場合は、整流回路を設けないようにしてもよい。また、ドライブ装置に設けられた磁界発生部に変えて、電磁波（電波）発生部を設けることにより、電磁波を用いて記録媒体に対する電力の供給及び信号の送受信を行うようにしてもよい。【００３７】  なお、上記第１〜第４の実施の形態の図面中では、理解を容易にするために、一部の部材の寸法（特にディスク状記録媒体や端子の厚さ）等を誇張して記載している。
【図面の簡単な説明】
【００３８】
【図１】  第１の実施の形態に係るドライブシステムを示す斜視図である。
【図２】  ディスク状記録媒体の断面図である。
【図３】  電気回路部を示すブロック図である。
【図４】  ドライブ装置の回転駆動部及び磁界発生部を示す説明図である。
【図５】  第２の実施の形態に係るドライブシステムを示す斜視図である。
【図６】  ディスク状記録媒体の電気回路部を示すブロック図である。
【図７】  第３の実施の形態に係るドライブシステムを示す説明図である。
【図８】  ディスク状記録媒体の要部を示す断面図である。
【図９】  第４の実施の形態に係るディスク状記録媒体を示す説明図である。
【符号の説明】
【００３９】  ドライブシステム１０、ディスク状記録媒体１２、ドライブ装置１４、情報記録部２０、電気回路部２２、コイル部２４、回転駆動部３０、磁界発生部３２
【図１】
2005025918.tif 000003
【図２】
2005025918.tif 000004
【図３】
2005025918.tif 000005
【図４】
2005025918.tif 000006
【図５】
2005025918.tif 000007
【図６】
2005025918.tif 000008
【図７】
2005025918.tif 000009
【図８】
2005025918.tif 000010
【図９】
2005025918.tif 000011